【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
チューナモジュール。
【請求項２】
前記アンテナコネクタの前記接合面には、前記芯線を中心に対向する２つの固定部が形成されている
請求項１に記載のチューナモジュール。
【請求項３】
前記アンテナコネクタの接合面に形成された固定部及び挟持部は、前記接合面の正面からみた形状が円弧状である
請求項１又は２に記載のチューナモジュール。
【請求項４】
前記ケース体は、
前記チューナモジュール基板に平行であって前記水平面としての基面部と、
前記基面部の縁部に垂直に形成された前記垂直面としての側部と、
を有する枠型に形成されており、
前記側部が、前記アンテナコネクタの高さより低い高さをもって形成されている
請求項１乃至３のいずれかに記載のチューナモジュール。
【請求項５】
前記ケース体は、
該ケース体の一端面から前記チューナモジュール基板に対して垂直に折り曲げられた前記垂直面としての側部が形成された折り曲げ部、を有し、
前記ケース体の前記折り曲げ部以外の部分の高さが、前記折り曲げ部の前記側部の高さより低い高さをもって形成されている
請求項１乃至３のいずれかに記載のチューナモジュール。
【請求項６】
前記ケース体が配置されて前記チューナモジュール基板のグランドラインが接続されるベース、を有する
請求項５に記載のチューナモジュール。
【請求項７】
前記ケース体の折り曲げ部の形状に合わせて形成され、該折り曲げ部を覆う補強部材、を有し、
前記補強部材の前記ケース体と当接する端部には係止部が形成され、該係止部により前記補強部材が前記ケース体に係止されている
請求項６に記載のチューナモジュール。
【請求項８】
前記ケース体は、導電性を有する金属で構成される
請求項１乃至７のいずれかに記載のチューナモジュール。
【請求項９】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、を有し、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられている
チューナモジュール。
【請求項１０】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記チューナモジュールが実装される回路基板と、を含み、
前記アンテナコネクタの前記ケース体との接合面には、凸状の固定部及び挟持部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されたとき、前記アンテナコネクタの固定部と挟持部により、前記ケース体の垂直面における前記挿入孔から前記水平面までの部分が挟持される
受信装置。
【請求項１１】
チューナ機能部が形成されたチューナモジュール基板と、
少なくとも前記チューナモジュール基板を内蔵するように保持するケース体と、
前記ケース体に固定され、芯線が前記ケース体に内蔵された前記チューナモジュール基板に接続される少なくとも一つのアンテナコネクタと、
を有するチューナモジュールと、
前記チューナモジュールが実装される回路基板と、を含み、
前記アンテナコネクタの前記ケース体との接合面には、凸状の固定部が形成され、
前記ケース体は、少なくとも前記チューナモジュール基板に対し水平面及び垂直面を持ち、前記垂直面には、前記アンテナコネクタの芯線及び固定部が挿入される１以上の挿入孔が形成され、
前記アンテナコネクタの芯線及び固定部が前記ケース体の挿入孔に挿入されて、前記アンテナコネクタの固定部が、前記ケース体の垂直面に形成された前記挿入孔にカシメられている
受信装置。
【手続補正２】
【補正対象書類名】明細書
【補正対象項目名】００１１
【補正方法】変更
【補正の内容】
【００１１】
本開示は、チューナモジュールを受信装置に搭載したときの装置全体の厚さ寸法を、広い範囲で極めて薄くすることにある。
【手続補正３】
【補正対象書類名】明細書
【補正対象項目名】００１６
【補正方法】変更
【補正の内容】
【００１６】
【図１】本開示の第１の実施形態に係るチューナモジュールの上面側から見た構成例を示す斜視図である。
【図２】本開示の第１の実施形態に係るチューナモジュールの上面側から見た構成例を示す分解斜視図である。
【図３】本開示の第１の実施形態に係るチューナモジュールの上面側の他の方向から見た構成例を示す分解斜視図である。
【図４】本開示の第１の実施形態に係るチューナモジュールの要部を上面側から見た構成例を示す斜視図である。
【図５】本開示の第１の実施形態に係るチューナモジュールの構成例を示す概略断面図である。
【図６】本実施形態に係るチューナモジュールを採用した受信装置の構成例を示す図である。
【図７】本実施形態に係るチューナモジュールを実装した回路基板の構成例を示す平面図である。
【図８】本実施形態に係るチューナモジュールを実装した回路基板を備えるテレビジョン受像機（受信装置の一例）の構成例を示す正面図及び側面図である。
【図９】本実施形態に係るチューナモジュールを実装した回路基板を備えるテレビジョン受像機（受信装置の一例）の構成例を示す概略断面図である。
【図１０】本開示の第２の実施形態に係るチューナモジュールの上面側から見た構成例を示す斜視図である。
【図１１】本開示の第２の実施形態に係るチューナモジュールの上面側から見た構成例を示す分解斜視図である。
【図１２】本開示の第２の実施形態に係るチューナモジュールの底面側からみた構成例を示す斜視図である。
【図１３】本開示の第２の実施形態の変形例に係るチューナモジュールの上面側から見た構成例を示す斜視図である。
【図１４】本開示の第２の実施形態に係るチューナモジュールの構成例を示す概略断面図である。
【手続補正４】
【補正対象書類名】明細書
【補正対象項目名】００７２
【補正方法】変更
【補正の内容】
【００７２】
図１０は、本開示の第２の実施形態に係るチューナモジュールの上面側から見た構成例を示す斜視図である。
図１１は、本開示の第２の実施形態に係るチューナモジュールの上面側から見た構成例を示す分解斜視図である。
図１２は、本開示の第２の実施形態に係るチューナモジュールの底面側からみた構成例を示す斜視図である。